(57)【特許請求の範囲】
【請求項１】
透光性を有する基材を備えるカバー部材であって、
前記基材の表面の少なくとも一部には、
窒化ケイ素を含む層と、酸化ケイ素を含む層とを含む反射防止層としての積層を備え、
前記積層は、その最表面から１５０ｎｍの深さまでの範囲における窒化ケイ素の含有量が３０〜５０ｖｏｌ％であり、
前記積層の表面には、フッ素含有有機ケイ素化合物を含む防汚層を有し、
該カバー部材の表面硬度が、２４０００Ｎ／ｍｍ２以上であり
機器の情報表示部に設けられる
ことを特徴とするカバー部材。
【請求項２】
請求項１に記載のカバー部材において、
前記積層は、前記窒化ケイ素を含む層と前記酸化ケイ素を含む層とを積層して、積層数が４〜９層である
ことを特徴とするカバー部材。
【請求項３】
請求項１または請求項２に記載のカバー部材において、
前記基材がサファイアガラスである
ことを特徴とするカバー部材。
【請求項４】
請求項１〜請求項３のいずれかに記載のカバー部材において、
該カバー部材の表面硬度が、３００００Ｎ／ｍｍ２以上である
ことを特徴とするカバー部材。
【請求項５】
請求項１〜請求項４のいずれかに記載のカバー部材において、
前記フッ素含有有機ケイ素化合物が、アルコキシシラン化合物である
ことを特徴とするカバー部材。
【請求項６】
請求項１〜請求項５のいずれかに記載のカバー部材において、
前記フッ素含有有機ケイ素化合物が、下記式（１）および（２）の少なくともいずれかで示されるパーフルオロエーテル化合物である
ことを特徴とするカバー部材。
【化１】
0005967257.tif 000009
（式中、Ｒｆ1はパーフルオロアルキル基を示す。Ｘは臭素、ヨウ素または水素を示す。
Ｙは水素または低級アルキル基を示し、Ｚはフッ素またはトリフルオロメチル基を示す。Ｒ1は加水分解可能な基を示し、Ｒ2は水素または不活性な１価の炭化水素基を示す。ａ、ｂ、ｃ、ｄ、ｅは０または１以上の整数で、且つａ＋ｂ＋ｃ＋ｄ＋ｅは少なくとも１以上であり、ａ、ｂ、ｃ、ｄ、ｅで括られた各繰り返し単位の存在順序は、式中において限定されない。ｆは０、１または２である。ｇは１、２または３である。ｈは１以上の整数である。）
【化２】
0005967257.tif 000010
（式中、Ｒｆ2は式：「−（ＣkＦ2k）Ｏ−」で示される単位を含み、分岐を有しない直鎖状のパーフルオロポリアルキレンエーテル構造を有する２価の基を示す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を示す。ｐは０、１または２であり、ｎは１〜５の整数である。ｍおよびｒは、２または３である。）
【請求項７】
請求項１〜請求項６のいずれかに記載のカバー部材において、
前記防汚層の厚みが０．００１〜０．０５μｍであることを特徴とするカバー部材。
【請求項８】
請求項１〜請求項７のいずれかに記載のカバー部材において、
前記積層は、当該カバー部材の内側の部分および外側の部分のうち、少なくとも外側の部分に形成されることを特徴とするカバー部材。
【請求項９】
請求項１〜請求項８のいずれかに記載のカバー部材において、
前記機器が携帯電話であり、
当該カバー部材は、前記携帯電話の情報表示部に設けられる
ことを特徴とするカバー部材。
【請求項１０】
請求項９に記載のカバー部材を備える
ことを特徴とする携帯電話。
【発明の詳細な説明】
【技術分野】
【０００１】
本発明は、カバー部材、および携帯電話に関する。
【背景技術】
【０００２】
従来、時刻表示などの視認性を高めるため、カバーガラス（風防）と呼ばれる透光性部材に反射防止層を形成することが知られている。この反射防止層は、屈折率の異なる無機物層が数層〜数十層積層されて構成されることが一般的であり、カバーガラスの表面に高い硬度や耐傷性が求められる場合には、光透過率が高いうえ低屈折率でかつ比較的硬度が高いＳｉＯ２が反射防止層の最表層に成膜されることが多い。例えば、時計用カバーガラスの表面に、ＳｉＯ２を最表層および最下層とし、ＳｉＯ２膜とＳｉ３Ｎ４膜とが交互に積層された反射防止層を形成する技術が開示されている（特許文献１参照）。また、酸化シリコン（ＳｉＯ２）を最表層とし、窒化シリコン膜を時計用カバーガラスの表面に形成してなる時計用風防ガラスも開示されている（特許文献２参照）。
【先行技術文献】
【特許文献】
【０００３】
【特許文献１】特開２００４−２７１４８０号公報
【特許文献２】特開２００６−２７５５２６号公報
【発明の概要】
【発明が解決しようとする課題】
【０００４】
ところで、ＳｉＯ２膜とＳｉ３Ｎ４膜が交互に積層された反射防止層を設けてなる従来の腕時計は、日常生活程度の使用でカバーガラス表面に深い傷が付くことが多かった。しかしながら、その理由は必ずしも明確ではなく、ＳｉＯ２膜とＳｉ３Ｎ４膜のように硬さの違う膜の積層が、どのようにカバーガラス表面の硬度や耐傷性に影響するのかは不明であった。そのため、カバーガラスにおける反射防止光学シミュレーションは、ＳｉＯ２膜とＳｉ３Ｎ４膜の厚さの比率を考慮することなく行われていた。
【０００５】
そこで、本発明の目的は、反射防止機能を備え、かつ硬度が十分に高く耐傷性が確保されたカバー部材、および、このカバー部材を備える携帯電話を提供することにある。
【課題を解決するための手段】
【０００６】
我々は、反射防止層の耐傷性について研究した結果、最表面から１５０ｎｍの範囲の平均の硬さが耐傷性に大きく影響することを突き止めた。具体的には、比較的軟らかいＳｉＯ２膜と、硬いＳｉ３Ｎ４膜の厚みを種々変えながら、硬度、耐傷性および光学特性の評価を繰り返し行った。その結果、反射防止層の最表面から１５０ｎｍまでは、硬度が大きいほど耐傷性は高まるが、１５０ｎｍより深い位置の硬度の増大は耐傷性にあまり影響しないことがわかった。また、反射防止層の最表面から１５０ｎｍの範囲でＳｉ３Ｎ４膜の割合が３０〜５０ｖｏｌ％の時に、高耐傷性と低反射率を両立できる条件があることを見出した。
【０００７】
本発明は、透光性を有する基材を備える透光性部材であって、前記基材の表面の少なくとも一部には、窒化ケイ素からなる高屈折率層と、酸化ケイ素からなる低屈折率層とが交互に積層してなる反射防止層が形成され、前記反射防止層は、その最表面から１５０ｎｍの深さまでの範囲における窒化ケイ素の含有量が３０〜５０ｖｏｌ％であることを特徴とする。
ここで、透光性部材としては、例えば、時計用カバー部材や計器用カバー部材あるいは眼鏡レンズ等の硬質で透明な部材が挙げられる。透光性部材の基材としては、サファイアガラス、石英ガラス、およびソーダガラス等が挙げられる。
【０００８】
本発明によれば、所定の反射防止層が基材上に形成され、反射防止層の最表面から１５０ｎｍの深さまでの範囲における窒化ケイ素の含有量が３０ｖｏｌ％以上であるので、非常に硬度の高い反射防止層を基材上に形成できる。この所定の深さまでの範囲における窒化ケイ素の含有量が３０ｖｏｌ％未満であると、反射防止層の耐傷性が不十分なものとなり、例えば、時計用のカバーガラスとしての実用性に乏しくなる。また、本発明においては、最表面から１５０ｎｍの深さまでの範囲における窒化ケイ素の含有量が５０ｖｏｌ％以下であるので、反射防止効果にも優れている。この所定の深さまでの範囲における窒化ケイ素の含有量が５０ｖｏｌ％を超えると、反射防止効果が劣り、例えば、時計用のカバーガラスとしての実用性に乏しくなる。
前記反射防止層の最表面から１５０ｎｍの深さまでの範囲における窒化ケイ素の含有量が４０〜５０ｖｏｌ％であると、反射防止効果を維持したまま、反射防止層の耐傷性をさらに向上させることが可能となるので好ましい。
また、酸化ケイ素からなる最表層の層厚は７０〜１１０ｎｍであることが好ましく、さらに好ましくは７５〜１０５ｎｍである。また、最表層に隣接する窒化ケイ素層の層厚は５０〜１１５ｎｍであることが好ましく、より好ましくは５５〜１１０ｎｍである。これらの各層の層厚が前記した範囲をはずれると反射防止層の反射率が高くなる傾向にある。
【０００９】
本発明では、該透光性部材の表面硬度が、２４０００Ｎ／ｍｍ２以上であることが好ましい。ここで、試験荷重は１．２２５mＮである。
この発明によれば、該透光性部材の表面硬度が、２４０００Ｎ／ｍｍ２以上であるので、十分な耐傷性を発揮することができ、例えば、時計用のカバーガラスとして優れている。また、該透光性部材の表面硬度が、３００００Ｎ／ｍｍ２以上であるとさらに優れた耐傷性を発揮することができる。
【００１０】
本発明では、前記反射防止層の上には、フッ素含有有機ケイ素化合物からなる防汚層が形成されていることが好ましい。
この発明によれば、反射防止層の上には、フッ素含有有機ケイ素化合物からなる防汚層が形成されている。この防汚層は、フッ素含有有機ケイ素化合物からなるため、撥水・撥油作用を発揮するだけでなく、表面の滑り性にも非常に優れる。それ故、透光性部材に外部からの衝撃が加わっても、防汚層表面の滑り性によりその衝撃をやわらげることができるので耐擦傷性に優れる。すなわち、反射防止層の剥離を効果的に防ぐことが可能となる。なお、フッ素含有有機ケイ素化合物としては、撥水性や撥油性があり防汚性を発現できる化合物であればよい。
【００１１】
本発明では、前記フッ素含有有機ケイ素化合物が、アルコキシシラン化合物であることが好ましい。
この発明によれば、フッ素含有有機ケイ素化合物として、アルコキシシラン化合物が用いられるので、撥水性・撥油性が高く、優れた防汚性を発揮する。
アルコキシシラン化合物としては、メトキシシリル基やトリエトキシシリル基のようなアルコキシシリル基と、パーフルオロ基とを有するような有機ケイ素化合物が好ましく用いられる。
【００１２】
本発明では、前記フッ素含有有機ケイ素化合物が、下記式（１）および（２）の少なくともいずれかで示されるパーフルオロエーテル化合物であることが好ましい。
【００１３】
【化１】
0005967257.tif 000002
（式中、Ｒｆ1はパーフルオロアルキル基を示す。Ｘは臭素、ヨウ素または水素を示す。
Ｙは水素または低級アルキル基を示し、Ｚはフッ素またはトリフルオロメチル基を示す。Ｒ1は加水分解可能な基を示し、Ｒ2は水素または不活性な１価の炭化水素基を示す。ａ、ｂ、ｃ、ｄ、ｅは０または１以上の整数で、且つａ＋ｂ＋ｃ＋ｄ＋ｅは少なくとも１以上であり、ａ、ｂ、ｃ、ｄ、ｅで括られた各繰り返し単位の存在順序は、式中において限定されない。ｆは０、１または２である。ｇは１、２または３である。ｈは１以上の整数である。）
【００１４】
【化２】
0005967257.tif 000003
（式中、Ｒｆ2は式：「−（ＣkＦ2k）Ｏ−」で示される単位を含み、分岐を有しない直鎖状のパーフルオロポリアルキレンエーテル構造を有する２価の基を示す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を示す。ｐは０、１または２であり、ｎは１〜５の整数である。ｍおよびｒは、２または３である。）
【００１５】
この発明によれば、前記した式（１）および（２）の少なくともいずれかで示されるフッ素含有有機ケイ素化合物を、前記した反射防止層の上に形成することで、優れた防汚性を有する透光性部材を得ることができる。これらのフッ素含有有機ケイ素化合物は、単独で用いてもよいが混合して用いてもよい。
【００１６】
本発明では、前記防汚層の厚みが０．００１〜０．０５μｍであることが好ましく、０．００１〜０．０３μｍであることがより好ましく、０．００１〜０．０２μｍであることがさらに好ましい。
防汚層の厚みが０．００１μｍ以上であると、十分な撥水・撥油性能を発揮できるとともに、耐擦傷性やさらに耐薬品性にも優れるようになる。また、防汚層の厚みが０．０５μｍ以下であると、透光性部材の表面硬度を低下させてしまうおそれも少ない。さらに、防汚層による表面光散乱もあまり生じないため、基材の透明性も阻害しない。
【００１７】
本発明では、前記透光性部材は、カバー部材とされ、前記反射防止層は、前記カバー部材の内側の部分および外側の部分のうち、少なくとも外側の部分に形成されることが好ましい。
この発明によれば、カバー部材の外側から入射する光の反射を入射側で防止できるため、カバー部材の内側である射出側の部分に反射防止層が形成された場合よりも良好な反射防止効果が得られる。
【００１８】
本発明の時計は、前記透光性部材を備え、前記透光性部材は、時計体を収容するケースに設けられることを特徴とする。
本発明の時計は、前述の透光性部材を備えることにより、前述と同様な作用および効果を享受できる。なお、透光性部材は、例えばカバーガラス（風防）としてケースに設けられる。
【００１９】
本発明の透光性部材の製造方法は、前記反射防止層を構成する高屈折率層および低屈折率層をスパッタリングにより形成するスパッタリング工程を備えることを特徴とする。
この発明によれば、反射防止層をスパッタリングにより形成するので、単なる蒸着により高屈折率層および低屈折率層を形成する場合にくらべて、反射防止層全体の硬度を向上させることができるだけでなく、反射防止層と基材との密着性や、反射防止層内における層間密着性にも優れている。従って、結果として、耐擦傷性の向上に寄与できる。
【００２０】
ここで、前記したスパッタリングを行う際には、基材を１００℃以上に加熱しながらスパッタリングを行う加熱工程を備えることが、上述の硬度や密着性の観点より好ましい。
また、反射防止層をスパッタリングにより形成する前に、基材に対して表面の付着物を除去する逆スパッタリング工程を備えると、基材表面を清浄にすることができるので、基材と反射防止層との密着性向上の観点より好ましい。
【発明の効果】
【００２１】
このような本発明によれば、反射防止機能と耐傷性とを併せ持つ透光性部材、これを備えた時計、および透光性部材の製造方法を提供できる。
【図面の簡単な説明】
【００２２】
【図１】本発明の第１実施形態に係るカバーガラスの断面を示す模式図。
【図２】本発明の第２実施形態に係るカバーガラスの断面を示す模式図。
【発明を実施するための形態】
【００２３】
以下、本発明の実施形態について詳細に説明する。
［第１実施形態］
第１実施形態に係る透光性部材は、例えば時計用カバーガラス（以下、単に「カバーガラス」ともいう。）であり、図１には、本実施形態のカバーガラス１の断面図が示されている。カバーガラス１は、透明な基材１１と、その上に形成された反射防止層１２とを備えている。
【００２４】
〔基材１１の材質〕
基材１１の材質は無機酸化物であり、例えばサファイアガラス、石英ガラス、ソーダガラス等が挙げられる。時計用カバーガラスの材質としては、硬度や透明性の観点より特にサファイアガラスが好ましい。
【００２５】
〔反射防止層１２の構成〕
反射防止層１２は、基材１１の上に形成され、屈折率の異なる無機薄膜を交互に積層して得られる多層膜である。図１に示すカバー部材１では、反射防止層１２は、１２Ａ（高屈折率層）、１２Ｂ（低屈折率層）、１２Ｃ（高屈折率層）、１２Ｄ（低屈折率層）の４層から構成されている。
ここで、高屈折率層１２Ａ、１２Ｃは、窒化ケイ素（ＳiＮx）により形成され、低屈折率層１２Ｂ、１２Ｄは酸化ケイ素（ＳiＯ２）により形成されている。また、反射防止層
１２の最表面から１５０ｎｍの深さまでの範囲における窒化ケイ素の含有量が３０〜５０ｖｏｌ％となっている。
【００２６】
なお、反射防止層１２は、４層である必要はなく、５層以上でもよい。反射防止効果を高める観点からは積層数が多い方が好ましい。ただし、あまり積層数が多くなると、生産性の観点より問題が生ずるおそれもあるので、好ましくは９層までの範囲である。
また、酸化ケイ素からなる最表層（低屈折率層１２Ｄ）の層厚は７０〜１１０ｎｍであることが好ましく、さらに好ましくは７５〜１０５ｎｍである。また、最表層に隣接する窒化ケイ素層（高屈折率層１２Ｃ）の層厚は５０〜１１５ｎｍであることが好ましく、より好ましくは５５〜１１０ｎｍである。前記した層厚の範囲をはずれると反射防止層の反射率が高くなる傾向にある。
ここで、図１に示すカバー部材１の表面硬度は、ナノインデンターを使用したＩＳＯ１４５７７準拠の測定値で２４０００Ｎ／ｍｍ２以上である（試験荷重１．２２５mＮ）。
【００２７】
〔反射防止層１２の形成工程〕
基材１１の表面に上述した反射防止層を形成する際には、スパッタリング法が好適に用いられる。なお、真空蒸着法も適用可能であり、真空蒸着法ではイオンビームアシストなどの手法も適宜併用することができる。ただし、硬度に優れた反射防止層を得るためにはスパッタリング法が最も好ましい。スパッタリング法や真空蒸着法は、無機薄膜形成の際に用いられる通常の方法が適用できる。
また、前記したスパッタリングを行う際には、基材１１を１００℃以上に加熱する加熱工程を備えることが、上述の硬度や密着性の観点より好ましい。
また、反射防止層１２をスパッタリングにより形成する前に、基材１１に対して表面の付着物を除去する逆スパッタリング工程を備えると、基材１１の表面を清浄にすることができるので、基材１１と反射防止層１２との密着性向上の観点より好ましい。
【００２８】
以上の実施形態によれば、次のような効果が得られる。
カバーガラス１は、透明な基材１１と、反射防止層１２とを含んで構成されている。そして、反射防止層１２は、高屈折率層１２Ａ、１２Ｃと低屈折率層１２Ｂ、１２Ｄとが交互に積層されて形成されており、反射防止層１２の最表面から１５０ｎｍの深さまでの範囲における窒化ケイ素の含有量が３０〜５０ｖｏｌ％となっている。従って、反射防止層１２の表面が非常に硬度の高い層となる。この所定の深さまでの範囲における窒化ケイ素の含有量が３０ｖｏｌ％未満であると、反射防止層の耐傷性が不十分なものとなり、例えば、時計用のカバーガラスとしての実用性に乏しくなる。また、反射防止層１２の最表面から１５０ｎｍの深さまでの範囲における窒化ケイ素の含有量が５０ｖｏｌ％以下であるので、反射防止効果にも優れている。この所定の深さまでの範囲における窒化ケイ素の含有量が５０ｖｏｌ％を超えると、反射防止効果が劣り、時計用のカバーガラスとしての実用性に乏しくなる。反射防止層１２の最表面から１５０ｎｍの深さまでの範囲における窒化ケイ素の含有量が４０ｖｏｌ％以上であると、反射防止効果を維持したまま、反射防止層の耐傷性をさらに向上させることが可能となる。
【００２９】
カバーガラス１の表面硬度は、２４０００Ｎ／ｍｍ２以上であるので、十分な耐傷性を発揮することができ、腕時計や携帯情報機器などに適用した場合に十分な耐擦傷性が得られる。また、表面硬度が、３００００Ｎ／ｍｍ２以上であるとさらに優れた耐傷性を発揮することができる。
【００３０】
［第２実施形態］
前記した反射防止層１２の上には、防汚層を形成することができる。図２には、前記した反射防止層１２の上に、さらに防汚層１３を形成してなるカバーガラス２を示す。以下、この防汚層１３について説明する。
〔防汚層１３の構成〕
防汚層１３は、いわゆる撥水剤・撥油剤として知られる化合物から構成される。このような化合物としては、アルコキシシラン等のフッ素含有有機ケイ素化合物が好ましい。
例えば、ＣＦ３（ＣＦ２）２Ｃ２Ｈ４Ｓｉ（ＯＣＨ３）３、ＣＦ３（ＣＦ２）４Ｃ２Ｈ４Ｓｉ（ＯＣＨ３）３、ＣＦ３（ＣＦ２）６Ｃ２Ｈ４Ｓｉ（ＯＣＨ３）３、ＣＦ３（ＣＦ２）８Ｃ２Ｈ４Ｓｉ（ＯＣＨ３）３、ＣＦ３（ＣＦ２）１０Ｃ２Ｈ４Ｓｉ（ＯＣＨ３）３、ＣＦ３（ＣＦ２）１２Ｃ２Ｈ４Ｓｉ（ＯＣＨ３）３、ＣＦ３（ＣＦ２）１４Ｃ２Ｈ４Ｓｉ（ＯＣＨ３）３、ＣＦ３（ＣＦ２）１６Ｃ２Ｈ４Ｓｉ（ＯＣＨ３）３、ＣＦ３（ＣＦ２）１８Ｃ２Ｈ４Ｓｉ（ＯＣＨ３）３、ＣＦ３（ＣＦ２）６Ｃ２Ｈ４Ｓｉ（ＯＣ２Ｈ５）３、ＣＦ３（ＣＦ２）８Ｃ２Ｈ４Ｓｉ（ＯＣ２Ｈ５）３、ＣＦ３（ＣＦ２）６Ｃ２Ｈ４ＳｉＣｌ３、ＣＦ３（ＣＦ２）８Ｃ２Ｈ４ＳｉＣｌ３、ＣＦ３（ＣＦ２）６Ｃ３Ｈ６Ｓｉ（ＯＣＨ３）３、ＣＦ３（ＣＦ２）８Ｃ３Ｈ６Ｓｉ（ＯＣＨ３）３、ＣＦ３（ＣＦ２）６Ｃ３Ｈ６Ｓｉ（ＯＣ２Ｈ５）３、ＣＦ３（ＣＦ２）８Ｃ３Ｈ６Ｓｉ（ＯＣ２Ｈ５）３、ＣＦ３（ＣＦ２）６Ｃ３Ｈ６ＳｉＣｌ３、ＣＦ３（ＣＦ２）８Ｃ３Ｈ６ＳｉＣｌ３、ＣＦ３（ＣＦ２）６Ｃ４Ｈ８Ｓｉ（ＯＣＨ３）３、ＣＦ３（ＣＦ２）８Ｃ４Ｈ８Ｓｉ（ＯＣＨ３）３、ＣＦ３（ＣＦ２）６Ｃ４Ｈ８Ｓｉ（ＯＣ２Ｈ５）３、ＣＦ３（ＣＦ２）８Ｃ４Ｈ８Ｓｉ（ＯＣ２Ｈ５）３、ＣＦ３（ＣＦ２）６Ｃ２Ｈ４Ｓｉ（ＣＨ３）（ＯＣＨ３）２、ＣＦ３（ＣＦ２）８Ｃ２Ｈ４Ｓｉ（ＣＨ３）（ＯＣＨ３）２、ＣＦ３（ＣＦ２）６Ｃ２Ｈ４Ｓｉ（ＣＨ３）Ｃｌ２、ＣＦ３（ＣＦ２）８Ｃ２Ｈ４Ｓｉ（ＣＨ３）Ｃｌ２、ＣＦ３（ＣＦ２）６Ｃ２Ｈ４Ｓｉ（Ｃ２Ｈ５）（ＯＣ２Ｈ５）２、およびＣＦ３（ＣＦ２）８Ｃ２Ｈ４Ｓｉ（Ｃ２Ｈ５）（ＯＣ２Ｈ５）２などが挙げられる。
フッ素含有有機ケイ素化合物としては、アミノ基を含有する化合物も好適である。
例えば、Ｃ９Ｆ１９ＣＯＮＨ（ＣＨ２）３Ｓｉ（ＯＣ２Ｈ５）３、Ｃ９Ｆ１９ＣＯＮＨ（ＣＨ２）３ＳｉＣｌ３、Ｃ９Ｆ１９ＣＯＮＨ（ＣＨ２）３Ｓｉ（ＣＨ３）Ｃｌ２、Ｃ９Ｆ１９ＣＯＮＨ（ＣＨ２）ＮＨ（ＣＨ２）Ｓｉ（ＯＣ２Ｈ５）３、Ｃ９Ｆ１９ＣＯＮＨ（ＣＨ２）５ＣＯＮＨ（ＣＨ２）Ｓｉ（ＯＣ２Ｈ５）３、Ｃ８Ｆ１７ＳＯ２ＮＨ（ＣＨ２）５ＣＯＮＨ（ＣＨ２）Ｓｉ（ＯＣ２Ｈ５）３、Ｃ３Ｆ７Ｏ（ＣＦ（ＣＦ３）ＣＦ２Ｏ）２−ＣＦ（ＣＦ３）−ＣＯＮＨ（ＣＨ２）Ｓｉ（ＯＣ２Ｈ５）３、およびＣ３Ｆ７Ｏ（ＣＦ（ＣＦ３）ＣＦ２Ｏ）ｍ’−ＣＦ（ＣＦ３）−ＣＯＮＨ（ＣＨ２）Ｓｉ（ＯＣＨ３）３［ここで、ｍ’は１以上の整数］などが挙げられる。
また、フッ素含有有機ケイ素化合物としては、以下のような化合物も好適である。
例えば、Ｒｆ'（ＣＨ２）２ＳｉＣｌ３、Ｒｆ'（ＣＨ２）２Ｓｉ（ＣＨ３）Ｃｌ２、（Ｒｆ'ＣＨ２ＣＨ２）２ＳｉＣｌ２、Ｒｆ'（ＣＨ２）２Ｓｉ（ＯＣＨ３）３、Ｒｆ'ＣＯ
ＮＨ（ＣＨ２）３Ｓｉ（ＯＣ２Ｈ５）３、Ｒｆ'ＣＯＮＨ（ＣＨ２）２ＮＨ（ＣＨ２）３
Ｓｉ（ＯＣ２Ｈ５）３、Ｒｆ'ＳＯ２Ｎ（ＣＨ３）（ＣＨ２）２ＣＯＮＨ（ＣＨ２）３Ｓ
ｉ（ＯＣ２Ｈ５）３、Ｒｆ'（ＣＨ２）２ＯＣＯ（ＣＨ２）２Ｓ（ＣＨ２）３Ｓｉ（ＯＣ
Ｈ３）３、Ｒｆ'（ＣＨ２）２ＯＣＯＮＨ（ＣＨ２）２Ｓｉ（ＯＣ２Ｈ５）３、Ｒｆ'ＣＯＯ−Ｃｙ（ＯＨ）−（ＣＨ２）２Ｓｉ（ＯＣＨ３）３、Ｒｆ'（ＣＨ２）２ＮＨ（ＣＨ２
）２Ｓｉ（ＯＣＨ３）３、およびＲｆ'（ＣＨ２）２ＮＨ（ＣＨ２）２ＮＨ（ＣＨ２）２
Ｓｉ（ＯＣＨ２ＣＨ２ＯＣＨ３）３などが挙げられる。上述の各式において、Ｃｙはシクロヘキサン残基であり、Ｒｆ’は、炭素数４〜１６のポリフルオロアルキル基である。
【００３１】
本発明で用いられるフッ素含有有機ケイ素化合物としては、下記式（１）および（２）の少なくともいずれかで示される化合物が特に好ましい。
【００３２】
【化３】
0005967257.tif 000004
【００３３】
式中、Ｒｆ1はパーフルオロアルキル基を示す。Ｘは臭素、ヨウ素または水素を示す。
Ｙは水素または低級アルキル基を示し、Ｚはフッ素またはトリフルオロメチル基を示す。Ｒ1は加水分解可能な基を示し、Ｒ2は水素または不活性な１価の炭化水素基を示す。ａ、ｂ、ｃ、ｄ、ｅは０または１以上の整数で、且つａ＋ｂ＋ｃ＋ｄ＋ｅは少なくとも１以上であり、ａ、ｂ、ｃ、ｄ、ｅで括られた各繰り返し単位の存在順序は、式中において限定されない。ｆは０、１または２である。ｇは１、２または３である。ｈは１以上の整数である。
【００３４】
【化４】
0005967257.tif 000005
【００３５】
式中、Ｒｆ2は式：「−（ＣkＦ2k）Ｏ−」で示される単位を含み、分岐を有しない直鎖状のパーフルオロポリアルキレンエーテル構造を有する２価の基を示す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を示す。ｐは０、１または２であり、ｎは１〜５の整数である。ｍ及びｒは、２または３である。
【００３６】
前記したフッ素含有有機ケイ素化合物を、前記した反射防止層１２の上に防汚層１３として形成することで、優れた撥水・撥油効果を有し、耐擦傷性に優れたカバーガラスを得ることができる。これらのフッ素含有有機ケイ素化合物は、単独で用いてもよいが混合して用いてもよい。特に前記した式（１）と式（２）の化合物を混合して用いると防汚層の耐久性が向上するので好ましい。
前記したフッ素含有有機ケイ素化合物の具体例としては、ＧＥ東芝シリコーン株式会社製ＴＳＬ８２３３、ＴＳＬ８２５７、ダイキン工業株式会社製オプツールＤＳＸ、信越化学工業株式会社製ＫＹ−１３０、ＫＰ−８０１などが挙げられる。
【００３７】
〔防汚層１３の形成工程〕
防汚層１３を形成する方法として、乾式法と湿式法のいずれも用いることができる。以下に各々について説明する。
【００３８】
（乾式法）
乾式法としては、前記フッ素含有有機ケイ素化合物を真空槽内で蒸発させて基材１１（反射防止層１２）の表面に付着させる真空蒸着法を採用することができる。例えば、特開平６−３４０９６６号公報や特開２００５−３０１２０８号公報に記載された蒸着装置が好適に利用可能である。具体的には、以下のようにして防汚層１３を形成することができる。
【００３９】
フッ素含有有機ケイ素化合物を適当なフッ素系溶剤に溶解して希釈して得た処理剤を繊維状あるいは多孔質の媒体に付着させ、それを真空槽内で、１〜０．０００１Ｐａの圧力下で加熱することにより、真空槽内に載置したカバーガラス１の反射防止層１２の上に付着させて防汚層１３を形成する。使用するフッ素系溶剤としては、後述する湿式法で用いるものと同じものを使用可能である。なお、溶剤の使用量はわずかであり、環境負荷はほとんどない。
【００４０】
このような媒体としては、熱伝導性および加熱効率の観点より導電性繊維や多孔性の焼結金属が好ましく、材料としては銅やステンレスが好適である。ここで、燒結金属のような多孔質の媒体としては、適度な蒸着速度を得るという観点より、その孔径が４０〜２００μｍであることが好ましく、より好ましくは８０〜１２０μｍである。
防汚層１３形成時に、上記媒体に付着させたフッ素含有有機ケイ素化合物を加熱する際の温度は、真空槽内の圧力によっても異なるが、該有機ケイ素化合物の分解温度を超えない範囲に設定することが好ましい。
【００４１】
防汚層１３形成時の圧力として好ましくは０．５〜０．００５Ｐａであり、より好ましくは０．１〜０．００１Ｐａである。防汚層１３形成時の圧力が１Ｐａより高いと、蒸発分子の平均自由工程が短く、防汚層１３の形成速度が遅くなってしまう。一方、圧力が０．０００１Ｐａより低いと、防汚層１３の形成速度は速くなるもののそのような真空状態を得るための時間がかかり過ぎるのでやはり好ましくない。
【００４２】
防汚層１３の形成速度（蒸着速度）は、０．０５〜５．０Å／ｓが好ましく、０．１〜２．０Å／ｓがより好ましい。０．０５Å／ｓ未満では、生産性が低いため製造コストが過大となる。また、２．０Å／ｓを超えると防汚層１３の層厚分布が不均一となり、表面の滑り性が悪化する。ここで、防汚層１３の形成速度は、真空槽内の圧力と加熱温度を調節することにより制御可能である。
なお、真空蒸着法では、フッ素含有有機ケイ素化合物は高濃度、または希釈溶剤なしに使用することもできる。
【００４３】
（湿式法）
＜処理剤の調製＞
湿式法により、防汚層１３を、基材１１（反射防止層１２）の上に形成するには、前記したいずれかのフッ素含有有機ケイ素化合物を有機溶剤に溶解させ、所定の濃度となるように調整し、基材１１表面に塗布する方法を採用することができる。有機溶剤としては、フッ素含有有機ケイ素化合物の溶解性に優れるパーフルオロ基を有し、炭素数が４以上の有機化合物が好ましく、例えば、パーフルオロヘキサン、パーフルオロシクロブタン、パーフルオロオクタン、パーフルオロデカン、パーフルオロメチルシクロヘキサン、パーフルオロ−１，３−ジメチルシクロヘキサン、パーフルオロ−４−メトキシブタン、パーフルオロ−４−エトキシブタン、メタキシレンヘキサフロライドを挙げることができる。また、パーフルオロエーテル油、クロロトリフルオロエチレンオリゴマー油を使用することができる。その他に、フロン２２５（ＣＦ3ＣＦ2ＣＨＣｌ2とＣＣｌＦ2ＣＦ2ＣＨＣｌＦ
の混合物）を例示することができる。これらの有機溶剤の１種を単独でまたは２種以上を混合して用いることができる。
【００４４】
有機溶剤で希釈するときの濃度は、０．０３〜１質量％の範囲が好ましい。０．０３質量％より低すぎると十分な厚さを有する防汚層１３の形成が困難であり、十分な撥水・撥油効果さらには十分な滑り性が得られない場合がある。一方、１質量％より濃すぎると防汚層１３が厚くなり過ぎるおそれがあり、塗布後に塗りむらをなくすためのリンス作業の負担が増すおそれがある。
【００４５】
＜塗布工程＞
塗布方法としては、ディッピング（浸漬）法、スピンコート法、スプレー法、フロー法、ドクターブレード法、ロールコート塗装、グラビアコート塗装、カーテンフロー塗装、刷毛塗り等が用いられる。防汚層１３の層厚は、特に限定されないが、０．００１〜０．０５μｍが好ましく、０．００１〜０．０３μｍであることがより好ましく、０．００１〜０．０２μｍであることがさらに好ましい。
防汚層１３の厚みが０．００１μｍ未満であると、十分な撥水・撥油性能を発揮できず、滑り性にも劣るので、耐擦傷性や耐薬品性が低下するおそれがある。また、防汚層の厚みが０．０５μｍを超えると、カバー部材２の表面硬度を低下させるおそれがあり、さらに防汚層１３による表面光散乱が大きくなるため、基材１１の透明性を阻害するおそれがある。
【００４６】
ディッピング法の場合、上記した有機溶剤を用いて所定濃度に調整した処理液中に基材１１を浸漬し、一定時間経過後、一定速度で基材１１を引き上げる。この際、浸漬時間としては０．５分から３分程度が望ましい。０．５分未満であると、基材１１表面へのフッ素含有有機ケイ素化合物の吸着が充分でないため、所定の撥水・撥油性能や滑り性を得ることができない。３分を超える場合は、サイクルタイムの増加を招き好ましくない。引き上げ速度は、１００ｍｍ／分〜３００ｍｍ／分が望ましい。これは、処理液濃度との兼ね合いで決められるものであるが、１００ｍｍ／分未満では、防汚層１３が薄くなりすぎて所定の性能が得られず、３００ｍｍ／分を超えると、防汚層１３が厚くなりすぎ、塗布後塗りむらをなくすためのリンス作業の負担が増すおそれがある。
【００４７】
＜熟成工程＞
前記塗布工程の後に、温度１０〜６０℃および相対湿度１０〜９０％の雰囲気下で０．５時間以上放置する。温度は好ましくは２０〜５０℃であり、相対湿度は好ましくは、２０〜８０％である。放置時間（熟成時間）は、好ましくは１〜１０時間である。雰囲気温度が低すぎると有機ケイ素化合物の反応性が低いため防汚層１３の形成が不十分となる。逆に雰囲気温度が高すぎると防汚層１３にクラックが入ってカバーガラス１の外観が不良となるおそれがある。また、雰囲気湿度が低すぎると温度の場合と同様に有機ケイ素化合物の反応性が低いため防汚層１３の形成が不十分となる。雰囲気湿度が高すぎると反応が速すぎ防汚層１３にクラックが入ってカバーガラス１の外観が不良となるおそれがある。また、熟成時間が短すぎると有機ケイ素化合物の反応が不十分となり、防汚層１３の形成が不十分となる。熟成時間としては、０．５時間以上が必要であり、例えば、２５℃、相対湿度４０％なら２４時間程度、６０℃、相対湿度８０％なら２時間程度が好ましい。
なお、上述の乾式法、湿式法のいずれにおいても、事前に反射防止層１２表面に対してプラズマ処理（アルゴン、酸素等）を施しておくことが好ましい。プラズマ処理を、例えば、反射防止層１２（低屈折率層１２Ｄ、ＳiＯ２層）に対して施しておくと、反射防止
層１２と防汚層１３との密着性（接着性）が非常に向上する。
【００４８】
最終的に防汚層１３が形成されたカバーガラス２の表面硬度は、ナノインデンターを使用したＩＳＯ１４５７７準拠の測定値で２４０００Ｎ／ｍｍ２以上である（試験荷重１．２２５mＮ）。
【００４９】
以上の本実施形態によれば、次のような効果が得られる。
反射防止層１２の上には、フッ素含有有機ケイ素化合物からなる防汚層１３が形成されている。従って、この防汚層は、撥水・撥油作用を発揮するだけでなく、表面の滑り性に非常に優れる。それ故、カバーガラス２に外部からの衝撃が加わっても、防汚層１３表面の滑り性によりその衝撃をやわらげることができるので耐擦傷性に非常に優れる。それ故、カバーガラス２の視認性を長期に渡って維持できる。
防汚層１３に用いられるフッ素含有有機ケイ素化合物として、アルコキシシラン化合物や前記した式（１）、（２）のようなパーフルオロエーテル化合物を用いることで、カバーガラス２に高い滑り性を付与することができ、結果として優れた耐擦傷性を発揮することができる。
【００５０】
防汚層１３の厚みを０．００１〜０．０５μｍの範囲に設定することで、十分な撥水・撥油性能を発揮できるとともに、耐擦傷性やさらに耐薬品性にも優れたカバーガラス１を提供できる。
カバーガラス１の表面硬度が、２４０００Ｎ／ｍｍ２以上であるので、腕時計や携帯情報機器などに適用した場合に十分な耐擦傷性が得られる。
【００５１】
防汚層１３を上述した所定の湿式法により形成すると、優れた耐擦傷性を有するカバーガラス２を製造できるだけでなく、真空装置等の大型設備が不要となり、製造にかかるコストを低減させることも可能となる
また、防汚層１３を上述した所定の乾式法により形成すると、優れた耐擦傷性を有するカバーガラス２を製造できるだけでなく、溶剤を実質的に用いないので環境負荷が低い。また、防汚層１３の形成工程における条件を変更することが容易なので防汚層の層厚制御も簡便である。さらに繊維状または多孔質の媒体を用いることでフッ素含有有機ケイ素化合物の加熱効率も高い。
【００５２】
本発明は、以上述べた実施形態には限定されず、本発明の目的を達成できる範囲で種々の改良および変形を行うことが可能である。
前記実施形態では、風防としてのカバーガラス１、２に本発明が適用された例を示したが、本発明の透光性部材は、風防としてのカバーガラスに限定されない。機械式時計などでは、裏蓋が設けられる位置にカバー部材としての透光性部材が設けられ、この透光性部材を介して時計体の内部の機構を視認可能なシースルーバック仕様とされていることがある。このような場合、この透光性部材に本発明を適用できる。
なお、透光性部材の基材としては、高硬度のサファイアガラスが好適であるが、このほか、石英ガラス、ソーダガラス等の使用も検討してよい。
【００５３】
本発明の透光性部材は、時計に使用されるカバー部材に限らず、携帯電話、携帯情報機器、計測機器、デジタルカメラ、プリンタ、ダイビングコンピュータ、脈拍計等の各種機器における情報表示部のカバー部材として好適に使用できる。
なお、本発明の透光性部材は、カバー部材には限定されない。本発明に係る反射防止層、防汚層は、透光性部材の基材において硬度確保、反射防止機能および耐擦傷性が要求される任意の箇所に形成される。
【実施例】
【００５４】
以下に、実施例および比較例により、本発明をより詳細に説明する。具体的には、時計用カバーガラスの基材として一般的なサファイアガラスを用い、その表面に所定の反射防止層、さらには防汚層を形成した後、各種の評価を行った。
【００５５】
〔実施例１〜１６、比較例１〜１２〕
（基材の前処理）
サファイアガラスを１２０℃の熱濃硫酸に１０分間浸漬した後、純水でよく洗浄し、１２０℃に設定されたオーブンで、大気中３０分間乾燥した。次に、このサファイアガラスをスパッタ装置内部に載置した後、１２０℃に加熱しながら装置内部を１０−６Ｔｏｒｒの圧力とした。続いて、装置内にＡｒガスを導入し、０．８ｍＴｏｒｒで逆スパッタしてサファイアガラス表面をクリーニングした。
【００５６】
（反射防止層の形成）
シリコンをターゲットとし、以下の条件でスパッタリングを行い、高屈折率層と低屈折率層からなる反射防止層（４層〜９層）を、サファイアガラス製基材の表面に形成した。具体的な層構成を表１、２に示す。なお、反射防止層の最表面から１５０ｎｍの深さまでにおける窒化ケイ素（ＳｉＮｘ）の体積分率をＳｉＮｘ占有率として示す。
高屈折率層：窒化ケイ素（ＳｉＮｘ）
Ｎ２ガス：１０．０ｓｃｃｍ
Ａｒガス：１０．０ｓｃｃｍ
スパッタリングパワー：２．０ＫＷ
低屈折率層：酸化ケイ素（ＳｉＯ２）
０２ガス：１０．０ｓｃｃｍ
Ａｒガス：１０．０ｓｃｃｍ
スパッタリングパワー：１．５ＫＷ
【００５７】
〔評価項目および評価方法〕
前記で得られた基材に対し、以下の評価を行い、結果を表１、２に示した。なお、サファイアガラス単体についても参考例として示した。
（１）反射率（％）
基材表面に対して９０°の入射角で入射する標準光の反射率を求め、この反射率と、入射角９０°の場合の視感感度とを可視光領域の各波長において掛け合わせた値の積算値に基づいて算出した。
【００５８】
（２）落砂試験前後の光線透過率差（ΔＴ％）
まず、次のような落砂試験を行う。水平面に対してカバーガラスを４５°の傾斜角度で配置する。この際、反射防止層が形成された側が上面側になるようにカバーガラスを配置する。そして、水平面から１ｍの高さより、防汚層に向かって砂を落下させる。この後、カバーガラスを洗浄し、試験前におけるカバーガラスの光線透過率と、試験後におけるカバーガラスの光線透過率との差ΔＴ％に基づいて、傷の付きづらさを評価した。
ここで、使用する砂の材質は、黒色炭化ケイ素インゴットおよび緑色炭化ケイ素インゴットを粉砕、分級して製造されたカーボランダムである。この試験では、中心粒径が６００〜８５０μｍのカーボランダム＃２４を８００ｃｍ３使用した。
【００５９】
（３）表面硬度（Ｎ／ｍｍ２）
ナノインデンターを使用して、試験荷重１．２２５mＮにおける、基材の反射防止層側
の表面硬度を測定した（ＩＳＯ１４５７７に準拠）。
【００６０】
【表１】
0005967257.tif 000006
【００６１】
【表２】
0005967257.tif 000007
【００６２】
〔評価結果〕
表１の結果より、反射防止層の層数によらず、最表面から１５０ｎｍの深さまでにおけるＳｉＮｘ占有率を３０〜５０ｖｏｌ％とすることで、表面硬度を２４０００Ｎ／ｍｍ２以上に維持することが可能となり、同時に落砂試験前後の透過率差（Δ％）を２％以下にできることがわかる。透過率差が２％以下であれば、時計用カバ−ガラスとして実用上の耐傷性は良好といえる。また、ＳｉＮｘ占有率を４０ｖｏｌ％以上とすることで落砂試験前後の透過率差をさらに１．５％以下にできる。透過率差が１．５％以下であれば、実用上の耐傷性は極めて良好といえる。
一方、表２の結果からは、比較例１、３、５、７、９、１１に示すように、ＳｉＮｘ占有率が５０ｖｏｌ％を超えると、反射率が０．４％を超え、実用上使用困難なレベルとなることがわかる。また、比較例２、４、６、８、１０、１２に示すように、ＳｉＮｘ占有率が３０ｖｏｌ％未満であると、表面硬度が非常に小さくなり、透過率差も大きくなる。すなわち、耐傷性に劣ったものとなる。
【００６３】
〔実施例１７〜２２〕
前記した実施例１、３、５、８、１１、１４について、反射防止層の表面にさらに防汚層を形成して同様に評価を行った。
（防汚層の形成）
フッ素含有有機ケイ素化合物（信越化学工業製  ＫＹ−１３０（３））をフッ素系溶剤（信越化学工業製  ＦＲシンナー）で希釈して固形分３質量％となるように調製したものを、スチールウール（日本スチールウール製  ＃０、線径０．０２５ｍｍ）０．５ｇが前もって充填された容器（上方が解放された円筒形の銅製容器、内径１６ｍｍ×内高さ６ｍｍ）に、１．０ｇ充填して、１２０℃で１時間乾燥した。次に、この銅製容器を、反射防止層が形成されたサファイアガラスとともに、真空蒸発装置内に載置し、装置内を０．０１Ｐａの圧力とした後、サファイアガラス表面に対して０．６Å／ｓの膜形成速度（蒸着速度）となるように銅製容器からフッ素含有有機ケイ素化合物を蒸発させた。加熱源としてはモリブデン製抵抗加熱ボートを用いた。
【００６４】
（カバーガラスの特性の評価）
上記の製造条件で製造されたカバーガラスについて、前記した各特性の評価を行った。その結果を表３に示す。
【００６５】
【表３】
0005967257.tif 000008
【００６６】
〔評価結果〕
表３に示すように、実施例１７〜２２のカバーガラスは、いずれも防汚層を有しているが、それらのベースとなるカバーガラス（実施例１、３、５、８、１１、１４）と同様に、反射防止効果および耐擦傷性に優れていることがわかる。すなわち、防汚層を形成していても、ＳｉＮｘ占有率の効果が強く反映されていることがわかる。
【符号の説明】
【００６７】
１、２・・・カバーガラス（透光性部材、カバー部材）、１１・・・基材、１２・・・反射防止層、１２Ａ、１２Ｃ・・・高屈折率層、１２Ｂ、１２Ｄ・・・低屈折率層、１３・・・防汚層
【図１】
0005967257.tif 000011
【図２】
0005967257.tif 000012